(57)【要約】 【課題】            防虫性を賦与された動物用ベストおよび動物用ベストを構成する繊維や樹脂に害虫忌避性薬剤を塗布または含浸させて防虫性を賦与する方法【解決手段】            ピレスロイド系薬剤、とくにメトフルスリンを処理して防虫性を賦与された動物用ベストおよび動物用ベストを構成する繊維や樹脂にピレスロイド系薬剤を塗布または含浸させて防虫性を賦与する方法。【選択図】      なし【特許請求の範囲】
【請求項１】
ピレスロイド系薬剤を含有することを特徴とする合成繊維または天然繊維からなる動物用防虫ベスト
【請求項２】
請求項１のピレスロイド系薬剤が２，３，５，６−テトラフルオロ-４-メトキシベンジルー３−（１-プロペニル）−２，２−ジメチルシクロプロパンカルボキシラートである動物用防虫ベスト
【請求項３】
合成繊維がポリプロピレン、ポリエチレン、ポリ塩化ビニル、ポリエステル、ナイロン、ビニロン、アクリルである請求項１に記載の動物用防虫ベスト
【請求項４】
天然繊維が絹、綿、羊毛である請求項１に記載の動物用防虫ベスト
【請求項５】
合成繊維または天然繊維でできた動物用ベストにピレスロイド系薬剤を塗布または含浸させて害虫忌避性を賦与する方法
【請求項６】
請求項５のピレスロイド系薬剤が２，３，５，６−テトラフルオロ-４-メトキシベンジルー３−（１-プロペニル）−２，２−ジメチルシクロプロパンカルボキシラートである繊維性の動物用ベストに害虫忌避性を賦与する方法
【請求項７】
ピレスロイド系薬剤を含有する樹脂または紙シートを加工してできた動物用防虫ベスト
【請求項８】
請求項７のピレスロイド系薬剤が２，３，５，６−テトラフルオロ-４-メトキシベンジルー３−（１-プロペニル）−２，２−ジメチルシクロプロパンカルボキシラートである樹脂ないし紙性動物用ベストに害虫忌避性を賦与する方法
【発明の詳細な説明】
【技術分野】
【０００１】
本発明は、ピレスロイド系薬剤を保持した繊維または合成樹脂フィルムからなる害虫忌避を目的とした動物用防虫ベストに関するものである。
【背景技術】
【０００２】
近年は、コンパニオンアニマルとして犬や猫などの動物が保護飼育されている。特に最近では、これらのコンパニオンアニマルにベストのような衣類やよだれかけを着用させることも盛んになっている。一方、犬猫を蚊の被害から防ぐためには、害虫忌避剤であるN-N-ジエチルトルアミドを体表面や動物用シートに直接スプレーしたり(特許文献１)、蚊取り線香や殺虫剤を加熱蒸散器で蒸散させて蚊の被害を防いでいるのが実情である。またノミ防除用にはノミ取り首輪が使われている。
【０００３】
【特許文献１】特開平１０−１３６８１８公報明細書
【発明の開示】
【発明が解決しようとする課題】
【０００４】
本発明者らはコンパニオンアニマルに着用されているベストのような衣類やよだれかけに蚊、ノミだけでなくダニによる飼育動物の被害を防ぐ機能を賦与することを試みた。すなわち害虫忌避性能を有する薬剤を処理した動物用防虫ベストの提供および、動物用防虫ベストを犬猫に着用させて害虫の被害から守り健康で快適に飼育することができるようにすることを課題とする。
【課題を解決するための手段】
【０００５】
上記目的の達成のために、本発明者らは検討を重ねた結果、ピレスロイド系化合物を処理した繊維または合成樹脂で作成した動物用のベストが蚊、ブヨ、アブ、ハエ、ダニ、アリ等の害虫に優れた忌避活性を示すこと、また繊維または合成樹脂で作成した動物用のベストにピレスロイド系薬剤を噴霧処理することで動物用防虫ベストが得られることを見出し、本発明を完成するに至った。
ピレスロイド系薬剤を処理するには、ピレスロイド系薬剤を含む溶液にあらかじめ繊維を浸漬させて乾燥後に動物用ベストに成型する方法や、ピレスロイド系薬剤溶液を噴霧器により動物用ベストを構成する繊維または合成樹脂フィルムにスプレーしてから乾燥後にベストに成型する方法ないしすでに成型された動物用ベストにスプレーする方法や、薬剤を包接、カプセル化、吸着、含浸させた多孔質微粒子を繊維、樹脂上に被覆する方法が用いられる。
【発明の効果】
【０００６】
本発明の動物用ベストないし、その構成繊維または樹脂へのピレスロイド系薬剤の処理により害虫忌避効果を賦与することができる。
【発明を実施するための最良の形態】
【０００７】
本発明で使用するピレスロイド系化合物とは、蚊、ブヨ、アブ、ハエ、ダニ、アリ等の害虫に優れた忌避活性を示すものであり、たとえばアレスリン、エンペントリン、プラレトリン、メトフルスリン、プロフルトリン、フェノトリン、サイフェノトリン、パーメスリン、エトフェンプロックス、シラフルオフェントランスフルスリン、除虫菊エキス等であり、これらのなかでもメトフルスリン〔（２，３，５，６−テトラフルオロ-４-メトキシベンジルー３−（１-プロペニル）−２，２−ジメチルシクロプロパンカルボキシラート）〕が特に優れる。これらを合成繊維、天然繊維または合成樹脂フィルムでできた動物用ベストに処理することにより十分な防虫効果を賦与することができる。またピレスロイド系薬剤を処理した合成繊維、天然繊維で成型した織物、編物、不織布を加工して動物用防虫ベストを作成してもよい。
本発明でいう合成繊維とはポリアミド系、ポリエステル系、ポリウレタン系、ポリオレフィン系、ポリスチレン系、ポリ塩化ビニル系、ポリアクリロニトリル系繊維があげられる。これ以外のセルロース系繊維の再生人造繊維、アセテートないしトリアセテート繊維等の半合成繊維でもよい。
【０００８】
本発明でいう合成樹脂フィルムとは合成樹脂をフィルム状に延伸したものであり、ポリエチレン樹脂、ポリ塩化ビニル樹脂、ポリ塩化ビニリデン樹脂、アクリル樹脂、ポリスチレン樹脂、ポリカーボネート樹脂などの熱可塑性を示すものが例示できる。これ以外の、セルロース系繊維の再生人造繊維、アセテートないしトリアセテート繊維等の半合成繊維でもよい。天然繊維としては綿、羊毛があげられる。
【０００９】
本発明の動物用ベストはピレスロイド系薬剤を処理した繊維でできた織物、不織布、紙、編物を動物の大きさに合わせて裁断、縫製して作成したものや、既成の動物用ベストにピレスロイド系薬剤を処理することによっても防虫効果を賦与できる。
【００１０】
本発明により得られる動物用防虫ベストが忌避効果を発揮する害虫としては例えば以下のものが上げられる。
双翅目害虫
アカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ、ヒメイエバエ等のイエバエ類、クロバエ類、ニクバエ類、タネバエ、タマネギバエ等のハナバエ類、ミバエ類、ショウジョウバエ類、チョウバエ類、アブ類、ブユ類、サシバエ類、ヌカカ類等
網翅目害虫
チャバネゴキブリ、クロゴキブリ、ワモンゴキブリ、トビイロゴキブリ、コバネゴキブリ等
膜翅目害虫
アリ類、スズメバチ類、アリガタバチ類、カブラハバチ等のハバチ類等
隠翅目害虫
イヌノミ、ネコノミ、ヒトノミ等
シラミ目害虫
ヒトジラミ、ケジラミ、アタマジラミ、コロモジラミ等
等翅目害虫
ヤマトシロアリ、イエシロアリ等
室内塵性ダニ類
コナヒョウヒダニ、ヤケヒョウヒダニ等のヒョウヒダニ類、ケナガコナダニ、ムギコナダニ等のコナダニ類、チリニクダニ、イエニクダニ、サナアシニクダニ等のニクダニ類、クワガタツメダニ、フトツメダニ等のツメダニ類、ホコリダニ類、マルニクダニ類、イエササラダニ類、ナミハダニ、カンザワハダニ、ミカンハダニ、リンゴハダニ等のハダニ類、フタトゲチマダニ等のマダニ類。
半翅目害虫
ヒメトビウンカ、トビイロウンカ、セジロウンカ等のウンカ類、ツマグロヨコバイ、タイワンツマグロヨコバイ等のヨコバイ類、アブラムシ類、カメムシ類、コナジラミ類、カイガラムシ類、グンバイムシ類、キジラミ類等
鞘翅目害虫
ヒメカツオブシムシ、ヒメマルカツオブシムシ、ウエスタンコーンルートワーム、サザンコーンルートワーム等のコーンルートワーム類、ドウガネブイブイ、ヒメコガネ等のコガネムシ類、コクゾウムシ、イネミズゾウムシ、ワタミゾウムシ、アズキゾウムシ等のゾウムシ類、チャイロコメノゴミムシダマシ、コクヌストモドキ等のゴミムシダマシ類、イネドロオイムシ、キスジノミハムシ、ウリハムシ等のハムシ類、シバンムシ類、ニジュウヤホシテントウ等のエピラクナ属 (Epilachna spp.)、ヒラタキクイムシ類、ナガシンクイムシ類、カミキリムシ類
【００１１】
本発明で用いられるピレスロイド系薬剤の防虫効力増強のため、ピペロニルブトキサイド、MGK-264のような共力剤も併用して使用することができる。またN-N-ジエチルトルアミドとの混合剤でもよい。
【００１２】
本発明のピレスロイド系薬剤の動物用ベストへの処理は、動物用ベストの構成部材である合成樹脂の成型時や天然または合成繊維が糸のときに含浸、塗布、練込する方法の他、動物用ベストを構成する部材をベストに成型後に薬剤をの表面に塗工したり、液化製剤に浸漬するなどの方法がある。
【００１３】
ピレスロイド系薬剤を前記の合成樹脂や天然または合成繊維へ添加する場合、合成樹脂や天然または合成繊維に本発明のピレスロイド系薬剤を高濃度で混合した製剤を作成し、前記製剤を構成部材への成型時、他の原料と混合する方法が一般的である。
【００１４】
動物用ベストの表面にピレスロイド系薬剤を塗工する方法としては、前記部材や動物用ベストを構成する材料によく展着するよう展着剤とともに前記防虫成分を乳剤、フロアブル剤、油剤、等の製剤としてから処理するのが一般的である。展着剤としては、通常ポリウレタン樹脂、シリコン樹脂、ポリビニルアルコール樹脂等を利用できる。なお展着剤に対するピレスロイド系薬剤の割合は０．０１〜１０％、好ましくは０．０５〜５％である。
【００１５】
乳剤、フロアブル剤、油剤等の液剤作成に用いられる溶剤としては水、メタノール、エタノール、プロパノール、イソプロピルアルコール、アミルアルコール、グリセリン、ポリエチレングリコール等のアルコール類、アセトン、メチルエチルケトン、シクロヘキサノン等のケトン類、テトラヒドロフラン、ジオキサン等のエーテル類、へキサン、ケロシン、パラフィン、ラノリン誘導体、石油ベンジン等の脂肪族炭化水素類、酢酸エチル等のエステル類、アセトニトリル等のニトリル類、ポリオキシエチレンオレイルエーテル等のポリオキシエチレン脂肪酸アルコールエーテル、ポリオキシエチレンノニルフェニルエーテル等のポリオキシエチレンアルキルアリルエーテル、ポリオキシエチレン脂肪酸エステル、脂肪酸グリセリド、ソルビタン脂肪酸エステル、ポリビニルアルコール等を上げることができる。またベストに撥水性を与えるフッ素系撥水撥油剤（例：明成化学製  アサヒガードAG-310）や両性界面活性剤のような帯電防止剤(例  日華化学製  網ポールAS)を混合させても良い。
【実施例】
【００１６】
次に、製剤例、製造例および試験例で本発明を更に詳細に説明するが、本発明が実施例のみに限定されるものではない。
【００１７】
製剤例１
メトフルスリン１ｇを９０ｇのエタノールに溶解して、浸漬用の液剤を得た。
【００１８】
製剤例２
メトフルスリン１ｇおよび３ｇのN-N-ジエチルトルアミドの混合物を９０ｇのイソプロピルアルコールに溶解して、これを２００ｍｌのトリガースプレー容器に入れ、防虫処理用スプレーを得た。
【００１９】
製造例１
ウールニット布でできた小型犬用のベストを製剤１で得た液剤に10分間浸漬後、24時間乾燥することにより防虫機能を付与したベストを得た。
【００２０】
製造例２
アクリルと麻の混合ニット布でできた小型犬用のベストに製剤２で得た液剤を１０ｍｌだけ満遍なく噴霧して、24時間乾燥することにより防虫機能を付与したベストを得た。
【００２１】
次に、本発明の処理による防虫効果の賦与効果を試験例により示す。
試験例
製造例２で得たアクリルと麻の混合ニット布のベストをダックスフントに着せて２週間飼育した。その間、ダックスフントの目の周りや鼻部分には蚊に刺された形跡は認められなかった。一方薬剤処理していないベストを着用したダックスフントでは蚊による被害が認められた。
【産業上の利用可能性】
【００２２】
ピレスロイド系薬剤等の防虫成分が処理された動物用ベストを動物に着用することにより、飼育動物への不快な害虫による被害を防ぐことが可能となる。